(57)【要約】【課題】マッサージ器の安定的な運転の向上、並びに騒音の低減、部材間の磨耗の減少及び当該マッサージ器の使用寿命の増加という機能を確実に達成する腰部マッサージベルトの改良構造を提供する。【解決手段】腰部マッサージベルトの改良構造が提供されており、それは腰ベルト、ハウジング、モータ、皮ベルト、軸及び重力ブロックを含んで構成され、モータがハウジング内に配設され、ハウジングは腰ベルト上に位置決めされ、かつ腰ベルトは人体を巻回して位置決めされる。そのうち、前記皮ベルトの一端はモータに連結し、軸は皮ベルトの他端に連結し、重力ブロックは偏心で配設されて軸上に位置決めされているとともに軸と同期して回動し、モータにより駆動される皮ベルトが動力を軸上に伝達し、重力ブロックの偏心力によりハウジングが前・後振動を発生する。【選択図】図１
2007130467.tif 000002
【特許請求の範囲】
【請求項１】
腰ベルト、ハウジング、少なくとも１つのモータ、少なくとも１つの皮ベルト、少なくとも１つの軸及び少なくとも１つの重力ブロックにより構成され、
前記ハウジング内に収納空間が備わるとともにモータがハウジング内に配設され、更にはハウジングが腰ベルト上に位置決めされ、かつ腰ベルトは人体を巻回して位置決めされる腰部マッサージベルトの改良構造であり、
前記皮ベルトは、ハウジングの収納空間に配設されるとともに、その一端はモータに連結し、
前記軸は、ハウジングの収納空間に配設されるとともに皮ベルトの他端に連結し、モータにより駆動される皮ベルトが動力を軸に伝達し、
前記重力ブロックは、ハウジングの収納空間に配設されるとともに、偏心して前記軸上に位置決めされ、当該軸と同期して回動することを特徴とする腰部マッサージベルトの改良構造。
【請求項２】
前記モータの回転軸に歯車を設けるとともに、歯車の両側それぞれにローラが配設されている請求項１記載の腰部マッサージベルトの改良構造。
【請求項３】
前記軸の先端部・後端部にディスクが配設され、ディスクは皮ベルトと連結していることを特徴とする請求項１又は２記載の腰部マッサージベルトの改良構造。
【請求項４】
前記重力ブロックと軸との間は拘束ベルトにより固定接続されていることを特徴とする請求項１〜３のいずれかに記載の腰部マッサージベルトの改良構造。
【請求項５】
前記重力ブロックは扇形構造または半円形構造であることを特徴とする請求項１〜４のいずれかに記載の腰部マッサージベルトの改良構造。
【請求項６】
前記ハウジングは上・下両ハウジングにより構成されることを特徴とする請求項１〜５のいずれかに記載の腰部マッサージベルトの改良構造。
【請求項７】
前記モータの回転軸に歯車を設けるとともに、歯車の両側それぞれに歯車が配設され、歯車の後に各ローラが接続し、かつモータから適当な距離だけ離間した一方の側に軸が配設され、皮ベルトによりディスクと両ローラとが接続されて、モータの動力がモータ外側の歯車から両側の歯車に伝達され、更に両歯車からローラに伝達されて、ローラ上の皮ベルトが動力をディスク上に伝達する請求項１記載の腰部マッサージベルトの改良構造。
【請求項８】
前記モータの回転軸に歯車を設けるとともに、歯車の一方の側に別の歯車が配設され、別の歯車の後にローラが接続し、皮ベルトによりディスクとローラとが接続されて、モータの動力がモータ外側の歯車から一方の側の別の歯車に伝達され、更に別の歯車からローラに伝達されて、ローラ上の皮ベルトが動力をディスク上に伝達することにより、モータ動力の伝動が達成される請求項１記載の腰部マッサージベルトの改良構造。
【請求項９】
前記モータに設けた歯車の両側それぞれに別の歯車が配設され、別の歯車の後にローラが接続し、皮ベルトによりディスクとローラとが接続されていることにより、モータ動力の伝動が達成される請求項８記載の腰部マッサージベルトの改良構造。
【発明の詳細な説明】
【技術分野】
【０００１】
本発明は腰部マッサージベルトの改良構造であり、特に腰部マッサージベルトの改良構造を活用してマッサージ器の安定的な運転の向上、並びに騒音の低減、部材間の磨耗の減少及び当該マッサージ器の使用寿命の増加を達成することを目指している。
【背景技術】
【０００２】
マッサージ器材使用の日増しの流行により、マッサージ器の実用性と使用寿命は益々重要となっている。腰部マッサージベルトはマッサージ器材の１種であり、現在、市場に出回っている腰部マッサージベルトでは、ハウジング内にモータが配設され、モータの回転軸に複数個の歯車駆動ユニットが接続して駆動され、最後にハウジングが腰ベルト内に配設されている。
【発明の開示】
【発明が解決しようとする課題】
【０００３】
人体に巻回するだけで使用を開始することができ、不断に使用するとマッサージ効果を達成することができるが、その使用には下記の問題点が存在している。腰部マッサージベルトの全体はモータに歯車駆動ユニットが従動して駆動されるが、歯車を運用する上での最大の欠点は、歯車の交換は容易ではなく、かつ騒音を発生するとともに歯車駆動ユニットの放熱効果が劣る点であり、利用者が当該腰部マッサージベルトを使用すると騒音により容易に煩わしさを感じ、かつ腰ベルト本体の放熱が理想的ではなく、熱気が不断に利用者の身体に容易に伝達されるために熱くかつ不快であるとの感覚は免れない。利用者が使用面で不便であり、かつ快適でもないと感じるため、腰部マッサージベルトの機能を十分に発揮することはできず、マッサージ効果は達成されず、当該腰部マッサージベルトの使用を断念する結果となるため、理想とは程遠い。
【課題を解決するための手段】
【０００４】
本発明の腰部マッサージベルトの改良構造は、腰ベルト、ハウジング、少なくとも１つのモータ、少なくとも１つの皮ベルト、少なくとも１つの軸及び少なくとも１つの重力ブロックにより構成され、前記ハウジング内に収納空間が備わるとともにモータがハウジング内に配設され、更にはハウジングが腰ベルト上に位置決めされ、かつ腰ベルトは人体を巻回して位置決めされる。しかも前記皮ベルトは、ハウジングの収納空間に配設されるとともに、その一端はモータに連結し、前記軸は、ハウジングの収納空間に配設されるとともに皮ベルトの他端に連結し、モータにより駆動される皮ベルトが動力を軸上に伝達し、前記重力ブロックは、ハウジングの収納空間に配設されるとともに、偏心して前記軸上に位置決めされ、当該軸と同期して回動することを特徴としている。
【発明の効果】
【０００５】
このように本発明では、マッサージ器の安定的な運転の向上、並びに騒音の低減、部材間の磨耗の減少及び当該マッサージ器の使用寿命の増加が達成されたマッサージ器が提供される。つまり、公知の欠点を解決するとともに、腰部マッサージベルト全体の使用価値を高めるため、本発明では皮ベルトでモータ回転軸の歯車、ローラと軸のディスクとを接続することにより、マッサージ器全体の騒音低下、放熱の強化、確実な駆動を図っており、マッサージ器の使用寿命は向上している。
【発明を実施するための最良の形態】
【０００６】
本発明が上記目的を達成するために採用した技術、手段及びその他効果について、以下において、好適実施例を提示するとともに、図示に基づき詳細に説明する。
【０００７】
本発明は、腰ベルト３０、ハウジング４０、モータ５０、少なくとも１つの皮ベルト６０、少なくとも１つの軸７０及び少なくとも１つの重力ブロック８０により構成されており、その詳細は第１図〜第４−ｂ図に示されている通りである。
【０００８】
そのうち、前記腰ベルト３０について、その内部には収納箇所３１が備わり、かつ両側にはマジックテープａが備わり、マジックテープａにより人体に巻回して位置決めされる。
【０００９】
前記ハウジング４０について、それは腰ベルト３０上に位置決めされ、ハウジング４０内には収納空間４１が備わり、上・下ハウジング４０により構成される。
【００１０】
前記モータ５０について、それはハウジング４０の収納空間４１内に配設され、かつモータ５０の回転軸に歯車５１を設けるとともに、歯車５１の両側にはそれぞれローラ５２が設けられている。
【００１１】
前記皮ベルト６０について、それはモータ５０の歯車５１とローラ５２とを連結しており、モータ５０出力の動力を伝達する。
【００１２】
前記軸７０について、それは軸７０の先端部・後端部にディスク７１が配設されており、ディスク７１は皮ベルト６０と連結して、当該軸７０を回転させる。
【００１３】
前記重力ブロック８０について、それは軸７０の周側上とディスク７１との間に位置決めされ、拘束ベルトｂにより重力ブロック８０が軸７０上に固定されており、重力ブロック８０は扇形構造ｃまたは半円形構造の鉄製ブロックである。
【００１４】
本発明実施例の使用方式は第２−ａ図及び第２−ｂ図に示されている通りであり、モータ５０をハウジング４０の収納空間４１内に配設し、モータ５０の回転軸に歯車５１を設けるとともに、歯車５１の両側それぞれにローラ５２を配設し、かつモータ５０から適当な距離だけ離間した両側それぞれに軸７０を配設する。軸７０とモータ５０との距離は重力ブロック８０の大きさにより決定される。軸７０上の先端部・後端部にディスク７１を配設し、重力ブロック８０を軸７０の周側上とディスク７１との間に位置決めし、皮ベルト６０でディスク７１、ローラ５２と歯車５１とを接続し、皮ベルト６０を一方のディスク７１に巻回してローラ５２の底部を通過させ、更に歯車５１に巻回した後、ローラ５２の底部を通過させ、最後に他方のディスク７１を巻回し、上・下ハウジング４０を相互に締結する。それによりモータ５０動力の伝達は達成され、軸の回動により重力ブロック８０には遠心力により外方向に応力が付加され、ハウジング４０は重力ブロック８０の偏心力に伴い前・後振動を発生してマッサージ効果を達成する。ハウジング４０は腰ベルト３０の収納空間内に配設され、腰ベルト３０のマジックテープａを利用して人体上に巻回してマッサージに使用する。上記の駆動構造により、マッサージ器の安定的な運転は向上し、かつ騒音は低減、部材間の磨耗は減少し、当該マッサージ器の使用寿命は向上する。
【００１５】
また、上記の部材つまり皮ベルト６０、ローラ５２と歯車５１などをモータ５０の一方の側に配設するだけで、ハウジング４０を重力ブロック８０に伴い前・後に振動させてマッサージ効果を達成することもできる。
【００１６】
第３−ａ図及び第３−ｂ図を参照すると、それは本発明の別の実施例であり、第一実施例と異なる点は下記の通りである。
【００１７】
ハウジング４０内のモータ５０の回転軸に歯車５１を設けるとともに、歯車５１の両側それぞれに歯車５１を配設し、歯車５１の後にそれぞれローラ５２を配設し、かつモータ５０から適当な距離だけ離間した一方の側に軸７０を配設する。軸７０とモータ５０との距離は重力ブロック８０の大きさにより決定される。軸７０上の先端部・後端部にディスク７１を配設し、重力ブロック８０を軸７０の周側上とディスク７１との間に位置決めし、皮ベルト６０でディスク７１と両ローラ５２とを接続し、モータ５０の動力をモータ５０外側の歯車５１から両側の歯車５１に伝達し、更に両歯車５１からローラ５２に伝達し、ローラ５２上の皮ベルト６０により動力をディスク７１上に伝達する。それによりモータ５０動力の伝達は達成され、軸の回動により重力ブロック８０には遠心力により外方向に応力が付加され、腰ベルト３０は重力ブロック８０に伴い前・後振動を発生する機能を達成する。
【００１８】
第４−ａ図及び第４−ｂ図を参照するともそれは本発明の更に別の実施例であり、第一実施例及び第二実施例と異なる点は下記の通りである。
【００１９】
ハウジング４０内のモータ５０の回転軸に歯車５１を設けるとともに、歯車５１の一方の側に別の歯車５１１を配設し、別の歯車５１１の後にローラ５２を配設し、かつモータ５０から適当な距離だけ離間した一方の側に軸７０を配設する。軸７０とモータ５０との距離は重力ブロック８０の大きさにより決定される。軸７０と歯車５１１、ローラ５２は同一側とし、かつ軸７０上の先端部・後端部にディスク７１を配設し、重力ブロック８０を軸７０の周側上とディスク７１との間に位置決めし、皮ベルト６０でディスク７１とローラ５２とを接続し、モータ５０の動力を回転軸に設けた歯車５１から一方の側の別の歯車５１１に伝達し、更に別の歯車５１１からローラ５２に伝達し、ローラ５２上の皮ベルト６０により動力をディスク７１上に伝達する。それによりモータ５０動力の伝達は達成され、軸の回動により重力ブロック８０には遠心力により外方向に応力が付加され、腰ベルト３０は重力ブロック８０に伴い前・後振動を発生する機能を達成する。
【００２０】
ここで明示すべき点は、当該駆動方式はモータ５０の両側に配設することができ、上記の目的、利点及び機能を同様に達成することができる点である。
【００２１】
上記の通り、本発明の腰部マッサージベルトの改良構造には、騒音は低減し、部材間の磨耗は減少し、駆動の安定性は向上するとともに、マッサージ器の使用寿命も向上するという効果が備わっている。従って本発明が実用性を備えていることは疑いのない点であり、また、本発明の実施例で開示されている構造は、出願前には刊行物に掲載されておらず、公開・使用もされていないため、本発明は「新規性」、「進歩性」要件ともに合致している。ここに法に基づき発明の出願を提出する。審査の上で早期に権利を付与されるよう切に希望する。
【図面の簡単な説明】
【００２２】
【図１】本発明の使用状態見取図である。
【図２−ａ】本発明の第一実施例の上面図である。
【図２−ｂ】本発明の第一実施例の正面図である。
【図３−ａ】本発明の第二実施例の上面図である。
【図３−ｂ】本発明の第二実施例の正面図である。
【図４−ａ】本発明の第三実施例の上面図である。
【図４−ｂ】本発明の第三実施例の正面図である。
【符号の説明】
【００２３】
３０    腰ベルト
３１    収納箇所
４０    ハウジング
４１    収納空間
５０    モータ
５１    歯車
５１１  歯車
５２    ローラ
６０    皮ベルト
７０    軸
７１    ディスク
８０    重力ブロック
ａ      マジックテープ
ｂ      拘束ベルト
ｃ      扇形構造
【図１】
2007130467.tif 000003
【図２−ａ】
2007130467.tif 000004
【図２−ｂ】
2007130467.tif 000005
【図３−ａ】
2007130467.tif 000006
【図３−ｂ】
2007130467.tif 000007
【図４−ａ】
2007130467.tif 000008
【図４−ｂ】
2007130467.tif 000009